(57)【要約】【課題】  カラーモードであっても、相手先の受信能力などの事情に応じて、カラーファクシミリかモノクロファクシミリかを選択し得るカラー通信端末装置を提供する。【解決手段】  ファクシミリ送信のためワンタッチキー８ｂが操作されると（ステップＳＴ１１）、カラーＦＡＸモードが設定されているか否かを判定し（ステップＳＴ１２）、カラーＦＡＸモードに設定されている場合に、ワンタッチメモリ５ａの操作されたワンタッチキーに対応する登録エリアのカラー受信能力の有無を判定する（ステップＳＴ１３）。相手先にカラー受信能力有りの場合には、原稿をカラーで読み取り送信する（ステップＳＴ１４）。一方、相手先にカラー受信能力無しの場合には、原稿をモノクロで読み取り、モノクロ送信する（ステップＳＴ１５）。【選択図】      図３
2005110075.tif 000002
【特許請求の範囲】
【請求項１】
予め相手先情報とカラーファクシミリ受信能力の有無の情報とを対応させて登録記憶するメモリと、
ワンタッチによる相手先指定操作により、前記メモリより、前記相手先に対応する相手先に関するカラーファクシミリ受信能力の有無を示す情報を読み出すワンタッチ操作キーと、
読み出した前記カラーファクシミリ受信能力の有無に応じ、原稿画像をカラーで、あるいはモノクロで送信するかを選択する制御手段と、
を備えたことを特徴とするカラー通信端末装置。
【請求項２】
カラーファクシミリ送信可能な第１の送信手段と、
カラーファクシミリ送信不可な第２の送信手段と、
ファクシミリ送信すべき画像データがモノクロかカラーであるかを判定する判定手段と、
この判定手段の判定結果に基づいて、最適な送信手段を選択する制御手段と、  を備えることを特徴とするカラー通信端末装置。
【請求項３】
カラーファクシミリ対応の回線が受信専用として設定接続される手段と、
カラーファクシミリ送信を選択するための操作手段と、
操作手段によりカラーファクシミリ送信の選択の操作を行ったときに、前記設定手段によ受信専用が設定されている場合、カラーファクシミリ送信が禁止されている旨の警告報知を行う報知手段と、
を備えることを特徴とするカラー通信端末装置。
【発明の詳細な説明】
【技術分野】
【０００１】
この発明は、モノクロ画像の他にカラー画像も通信可能なファクシミリ装置、複写機能・ファクシミリ機能等の多機能を有する複合機等のカラー通信端末装置に関する。
【背景技術】
【０００２】
一般にファクシミリ装置、複合機等の通信端末装置において、モノクロあるいはカラーの原稿をモノクロで読み取り、ファクシミリ送信するとともに、カラーの原稿をカラー読み取り、カラーでファクシミリ送信し得るものがある。これらの通信端末装置では、モノクロでファクシミリ送信するか、カラーでファクシミリ送信するかは、カラー／モノクロのモード設定を行い、選択されたモードに応じたカラーファクシミリ送信あるいはモノクロファクシミリ送信を行うようにしている（例えば、特許文献１参照）。
【特許文献１】特開２００１−１８９８６９号公報
【発明の開示】
【発明が解決しようとする課題】
【０００３】
上記した従来のカラー複合機などのカラー通信端末装置では、カラーモードの設定がなされ、カラー原稿がカラー読み取りされた場合には、カラー画像データがファクシミリ送信される。この場合、発信元も受信先もカラーで画像データを送信し得ることに、特に異存なく、それを望むことが多いと思われる。しかしながら、同じ１枚の原稿でもカラー画像データはモノクロ画像に比べ、非常にデータ量が多く、伝送すべき原稿の枚数が多いと、通信時間が大となり、通信費が多額となるとともに、回線を占有する度合いが高くなるという問題がある。
【０００４】
一方、送信すべき原稿がカラーでも、発信元、相手先の事情により、あるいは特定の場合には、カラーで伝送しなくても不都合が生じない場合がある。
【０００５】
この発明は上記問題点に着目してなされたものであって、カラーモードであっても、事情に応じ、カラーファクシミリか、あるいはモノクロファクシミリによる伝送を行い得るカラー通信端末装置を提供することを目的としている。
【課題を解決するための手段】
【０００６】
この発明の請求項１に係るカラー通信端末装置は、予め相手先情報とカラーファクシミリ受信能力の有無の情報とを対応させて登録記憶するメモリと、ワンタッチによる相手先指定操作により、前記メモリより、前記相手先に対応する相手先に関するカラーファクシミリ受信能力の有無を示す情報を読み出すワンタッチ操作キーと、読み出した前記カラーファクシミリ受信能力の有無に応じ、原稿画像をカラーで、あるいはモノクロで送信するかを選択する制御手段と、を備えている。
【０００７】
このカラー通信端末装置では、ワンタッチ操作キーが操作されると、ワンタッチメモリのキーに対応する登録内容を読み出し、ファクシミリ受信能力の有無に応じ、例えばカラー受信能力有りの場合に、カラーファクシミリ送信を行う。
【０００８】
また、請求項２に係るカラー通信端末装置は、カラーファクシミリ送信可能な第１の送信手段と、カラーファクシミリ送信不可な第２の送信手段と、ファクシミリ送信すべき画像データがモノクロかカラーであるかを判定する判定手段と、この判定手段の判定結果に基づいて、最適な送信手段を選択する制御手段と、を備えている。
【０００９】
このカラー通信端末装置では、送信すべき画像データがカラーである場合に、第１の送信手段を選択し、この第１の送信手段によりカラーファクシミリ送信を行う。
【００１０】
また、請求項３に係るカラー通信端末装置は、カラーファクシミリ対応の回線が受信専用として設定接続される手段と、カラーファクシミリ送信を選択するための操作手段と、操作手段によりカラーファクシミリ送信の選択の操作を行ったときに、前記設定手段によ受信専用が設定されている場合、カラーファクシミリ送信が禁止されている旨の警告報知を行う報知手段と、を備える。
【００１１】
このカラー通信端末装置では、カラーファクシミリ送信が選択操作されると、カラーファクシミリ送信が禁止される旨を警告報知する。
【発明の効果】
【００１２】
この発明によれば、相手先のカラーの受信能力の有無に応じて、カラーファクシミリ送信、あるいはモノクロファクシミリ送信を適正に選択することができる。
【００１３】
また、この発明によれば、カラーファクシミリ送信かモノクロ送信かに応じ、カラー送信対応の回線か、カラー送信未対応の回線より最適の回線を選択することができる。
【発明を実施するための最良の形態】
【００１４】
以下、実施の形態により、この発明をさらに詳細に説明する。図１は、この発明の実施形態であるカラー通信端末装置全体の概略構成を示すブロック図である。
【００１５】
この実施形態カラー通信端末装置は、ファクシミリ機能とコピー機能とを備えた、しかも画像としてモノクロの他、カラーも扱えるカラー複合機として構成している。このカラー複合機は、主制御部（ＣＰＵ）１と、ＮＣＵ（網制御回路：Ｎｅｔｗｏｒｋ  Ｃｏｎｔｒｏｌ  Ｕｎｉｔ）２と、ＭＯＤＥＭ３と、ＲＯＭ４と、ＲＡＭ５と、画像メモリ６と、表示部７と、操作部８と、画像読取部９と、画像記録部１０と、ＣＯＤＥＣ（符号化：復号器：Ｃｏｄｅｒ  ａｎｄ  Ｄｅｃｏｄｅｒ）１１と、ＬＡＮＩ／Ｆ１２と、バス１３とを備えている。
【００１６】
主制御部（ＣＰＵ）１は、この装置を構成する各部を制御する。この制御には、モノクロ画像、又はカラー画像を相手機に送信し、あるいは相手機から受信する場合の制御が含まれる。ＮＣＵ２は、通信回線である電話回線網（ＰＳＴＮ）１４との接続を制御すると共に、相手先の電話番号（ＦＡＸ番号を含む）に対応したダイヤル信号を送出する機能及び着信を検出するための機能を備えている。ＭＯＤＥＭ３は、ＩＴＵ（国際電気通信連合）−Ｔ勧告Ｔ．３０、Ｔ．４等に従ったファクシミリ伝送制御手順に基づいて、Ｖ．１７、Ｖ．２７ｔｅｒ、Ｖ．２９等に従った送信データの変調及び受信データの復調を行う。あるいは、これらに代えてＶ．３４に従って送信データの変調及び受信データの復調を行う。
【００１７】
ＲＯＭ４は、この装置を制御するためのプログラムを記憶する。ＲＡＭ５は、データ等を一時的に記憶する。このＲＡＭ５には、ワンタッチメモリ５ａを備えている。このワンタッチメモリ５ａには、ワンタッチテーブルを格納している。そのワンタッチテーブルの一例を図５に示す。このワンタッチテーブルには、ワンタッチキーのキーＮｏに対応して、宛先名称、宛先番号、宛先の受信能力カラー／モノクロの識別が登録される。画像メモリ６は、モノクロあるいはカラーの受信画像データや画像読取部９で読み取ったモノクロあるいはカラーの読み取り画像データを一時的に記憶する。
【００１８】
表示部（ＬＣＤ）７は、アイコン、キーボタンの表示や、データの送受信に必要なメッセージ内容等を表示する。操作部８は、スタートキー８ａ、ワンタッチキー８ｂ、カラーＦＡＸ設定キー８ｃの他、テンキー、登録キー、ＦＡＸモード・コピーモード・スキャナモード等の複数の動作モードについてのモード切り替えを行うための動作モード切替キー、その他のキーを有する。スタートキー８ａは、コピー等、種々の処理を開始させるのに操作するキーである。ワンタッチキー８ｂは、ワンタッチで相手先を指定するキーである。ここでは複数個あるワンタッチキーを総称的に示している。カラーＦＡＸ設定キー８ｃは、このキーを操作することによって、カラーＦＡＸを設定するキーである。
【００１９】
画像読取部９は、ＦＡＸ送信するときに、あるいはコピーするときに、原稿を光学的に走査して画像データを読み取る。この画像読取部９は、モノクロ画像とカラー画像とを読み取ることが可能である。画像記録部１０は、電子写真式のプリンタよりなり、受信画像データやコピー動作において、画像読取部９で読み取った原稿の画像データを記録紙上に記録する。この画像記録部１０は、カラープリントも可能である。
【００２０】
ＣＯＤＥＣ１１は、読み取った画像データを送信又は記憶するためにＭＨ、ＭＲ、ＫＭＲ方式等により符号化（エンコード）し、受信画像データを記録するために復号（デコード）する。ＬＡＮＩ／Ｆ１２は、ＰＣ（パーソナルコンピュータ）その他のＬＡＮ１５（ローカルエリアネットワーク）を構成する外部機器と接続され、ここを介して外部機器とのデータ授受を行う。外部ＰＣよりファイル等のデータ転送の要求を受けると、ＲＡＭ５に記憶する画像データをＬＡＮＩ／Ｆ１２、ＬＡＮ１５を介して外部ＰＣに転送する。
【００２１】
この実施形態カラー複合機においては、カラー画像を他の機器（カラー複合機）に対し、ＮＣＵ２、ＭＯＤＥＭ３、公衆回線１４を介して送信することができる。また、逆に他の機器から公衆回線１４、ＮＣＵ２、ＭＯＤＥＭ３を介して、カラー画像を受信することができる。更に、他の機器（ＰＣ）から、ＬＡＮ１５、ＬＡＮＩ／Ｆ１２を介して、カラー画像の伝送を受け、またＬＡＮＩ／Ｆ１２、ＬＡＮ１５を介して、外部機器（ＰＣ）にカラー画像を送信することができる。
【００２２】
また、この発明の実施形態カラー複合機においては、ＲＡＭ５に設けられるワンタッチメモリ５ａのワンタッチテーブルに、ワンタッチキー８ｂ毎に宛先名、宛先番号とともに、カラー受信可能か否かの属性を予め登録しており、ファクシミリ送信時にワンタッチキー８ｂを操作して、相手先を指定する際に、ワンタッチテーブルの受信能力の属性を読み出し、カラー送信可能な相手先に対しては、カラーファクシミリ送信し、カラー受信の不可能な相手先に対しては、カラーファクシミリ送信を禁止するようにしている。
【００２３】
この実施形態カラー複合機の受信能力の属性の設定処理動作を、図２に示すフロー図を参照して説明する。この処理ルーチンに入ると、ステップＳＴ１において、登録キーを操作して、ワンタッチテーブルのワンタッチ属性エリアをクリアする。続いて、ステップＳＴ１２へ移行する。ステップＳＴ２においては、受信能力の属性を登録する相手先を指定するワンタッチキーを操作して、ワンタッチ送信を行う。次に、ステップＳＴ３へ移行する。
【００２４】
ステップＳＴ３においては、相手先よりの応答を受信し、相手機にカラーＦＡＸ機能がありか否かを判定する。判定ＹＥＳの場合、つまり相手機よりカラーＦＡＸ機能有りの応答があった場合には、ステップＳＴ４へ移行する。一方、判定ＮＯの場合、つまり相手機よりカラーＦＡＸ機能無しの応答があった場合には、ステップＳＴ５へ移行する。
【００２５】
ステップＳＴ４においては、相手機よりカラーＦＡＸ機能有りの応答なので、ワンタッチテーブルの相手機の受信能力の属性記憶エリアに有（カラーの欄に○）を記憶する。ステップＳＴ５においては、相手機よりカラーＦＡＸ機能無しの応答なので、ワンタッチテーブルの相手機の受信能力の属性記憶エリアに無（カラーの欄に×、モノクロ欄に○）を記憶する。
【００２６】
次に、この実施形態カラー複合機において、ワンタッチキー操作によるファクシミリ送信時の処理動作を図３に示すフロー図を参照して説明する。この処理ルーチンに入ると、ステップＳＴ１１において、ワンタッチ送信キーが入力されたか否か判定する。操作部８のワンタッチキー８ｂの１つが操作されると、ステップＳＴ１２へ移行する。ステップＳＴ１２においては、カラーＦＡＸモードか否か判定する。操作部８のカラーＦＡＸ設定キー８ｃが操作され、カラーＦＡＸモードに設定されていると、ステップＳＴ１３へ移行する。一方、カラーＦＡＸモードに設定されていない場合は、ステップＳＴ１６へ移行する。
【００２７】
ステップＳＴ１３においては、相手先ワンタッチ属性にカラーＦＡＸの受信能力有りか否かを判定する。この判定は、ワンタッチテーブルの記憶内容に基づいて行う。ワンタッチテーブルより操作されたワンタッチキー８ｂに対応する相手先の記憶データを読み出し、カラーファクシミリの受信能力が有である場合には、ステップＳＴ１４へ移行する。一方、カラーファクシミリの受信能力が無である場合には、ステップＳＴ１５へ移行する。
【００２８】
ステップＳＴ１４においては、相手先にカラー受信能力が有なので、原稿をカラーで読み取り、ワンタッチキー８ｂで指定された相手先にカラーファクシミリ送信する。ステップＳＴ１５においては、相手先にカラー受信能力が無しなので、原稿をモノクロで読み取り、相手先にモノクロでファクシミリ送信する。あるいはカラーＦＡＸモードの設定であるにもかかわらず、カラーファクシミリ送信できないので、表示部７にエラー表示を行う。
【００２９】
ステップＳＴ１６においては、カラーＦＡＸモードに設定されていないので、原稿をモノクロで読み取り、相手先にモノクロでファクシミリ送信する。
【００３０】
次に、図６に示す他の実施形態について説明する。この実施形態は、図１に示すカラー複合機本体１０１に、他回線で通信可能なオプションボード１０２を接続している。この実施形態においてカラー複合機本体１０１は、カラーＦＡＸ送信対応可能であり、公衆回線の第１回線１０３によってカラー送信がなされる。一方、オプションボード１０２はカラーＦＡＸ未対応であり、第２回線１０４に接続可能に構成されている。この実施形態カラー複合機においては、カラーＦＡＸ送信を行うか否かに応じて、第１の回線１０３、第２の回線１０４のいずれかが選択される。この場合の回線選択処理を図４に示すフロー図を参照して説明する。
【００３１】
この処理ルーチンに入ると、ステップＳＴ２１において、回線選択処理か否か判定する。回線選択処理が設定されている場合には、ステップＳＴ２２へ移行する。ステップＳＴ２２においては、カラーＦＡＸモードか否か判定する。読み取った原稿画像がカラーである場合、あるいは操作部８でカラーモードが設定されている場合には、ステップＳＴ２３へ移行する。一方、読み取り原稿がカラーでない場合、あるいは操作部８でカラーモードに設定されていない場合（モノクロに設定されている場合）には、ステップＳＴ２４へ移行する。ステップＳＴ２３においては、カラーモードであることに基づいて、第１の回線１０３を選択する。一方、ステップＳＴ２４においては、カラーモードでないことに基づいて、空き回線、つまり第２の回線１０４を選択する。第１回線１０３の選択により、カラーファクシミリ送信を実行する。第２の回線１０４の選択により、モノクロファクシミリ送信を実行する。
【００３２】
更に他の実施形態として、図６に示すように、カラー複合機本体１０１にオプションボード１０２が接続され、カラー複合機本体１０１が、カラー対応の回線１０３に接続され、オプションボード１０２がカラー未対応の回線１０４に接続されている場合において、更に、カラー複合機本体１０１において、カラー対応の回線１０３が受信専用に設定されている場合において、ユーザ（オペレータ）がカラーファクシミリ送信を選択すると、カラーファクシミリ送信が禁止される（カラーファクシミリ選択を無効とする）旨を表示部７で警告表示し、更に音声で警告出力しても良い。これにより、カラーファクシミリ送信を選択させないようにする。
【図面の簡単な説明】
【００３３】
【図１】この発明が実施されるカラー複合機の概略構成を示すブロック図である。
【図２】同実施形態カラー複合機の相手先のカラーＦＡＸ機能有無の登録処理を説明するためのフロー図である。
【図３】同実施形態カラー複合機のファクシミリ送信処理を説明するためのフロー図である。
【図４】同実施形態カラー複合機の２回線接続機能を説明するフロー図である。
【図５】上記実施形態カラー複合機のワンタッチメモリの記憶内容の一例を示す図である。
【図６】他の実施形態カラー複合機のオプションによる２回線接続を示すブロック図である。
【符号の説明】
【００３４】
１      主制御部（ＣＰＵ）
２      ＮＣＵ
３      ＭＯＤＥＭ
４      ＲＯＭ
５      ＲＡＭ
５ａ    ワンタッチメモリ
６      画像メモリ
７      表示部
８      操作部
８ａ    スタートキー
８ｂ    ワンタッチキー
８ｃ    カラーＦＡＸ設定キー
９      画像読取部
１０    画像記録部
１１    ＣＯＤＥＣ
１２    ＬＡＮＩ／Ｆ
１３    バス
１４    公衆回線
１５    ＬＡＮ
１０１  カラー複合機本体
１０２  オプションボード
１０３  第１の回線
１０４  第２の回線
【図１】
2005110075.tif 000003
【図２】
2005110075.tif 000004
【図３】
2005110075.tif 000005
【図４】
2005110075.tif 000006
【図５】
2005110075.tif 000007
【図６】
2005110075.tif 000008